(57)【要約】【課題】商品を選択して発注するための費用と手間を削減する方法を提供すること。【解決手段】サーバ１１は、予め価格条件データと関連付けられたカード識別データを印刷してカードを発行し、その後、通信ネットワーク１３に接続された端末１２ａ、１２ｂ又は１２ｃ、・・・から、前記カード識別データを受信したことに応じて、受信した前記カード識別データに関連付けられた価格条件に合致する商品の情報を端末１２ａ、１２ｂ又は１２ｃ、・・・に送信する。【選択図】図３
2008077534.tif 000002
【特許請求の範囲】
【請求項１】
通信ネットワークに接続されたサーバが、商品を受注する方法であって、
前記サーバは、商品ＩＤデータと価格データとを少なくとも含んで構成する商品テーブルを記憶している記憶部を備え、
前記サーバが、発注可能な価格を示す価格条件データと発行人数データとを少なくとも含んで構成するカード発行要求データを受け付けるステップと、
前記カード発行要求データを受け付けたことに応じて、前記発行人数データが示す人数分のカード識別データを生成し、前記価格条件データと関連付けて、カード発行テーブルとして前記記憶部に記憶するステップと、
生成した前記カード識別データを印刷したカードを発行するステップと、
通信ネットワークに接続された端末から、前記カード識別データを受信するステップと、
前記カード発行テーブルを参照し、受信した前記カード識別データに関連付けられた価格条件データを特定するステップと、
前記商品テーブルを参照し、特定した前記価格条件データが示す価格条件に合致する商品ＩＤデータに係る商品の情報を前記端末に送信するステップと、
前記端末から、送信した前記商品ＩＤデータに係る商品のうち、特定の商品を指定する受注データを受信して前記記憶部に記憶するステップと、を含む方法。
【請求項２】
前記カード識別データを受信するステップにおいて、前記サーバが、複数の前記カード識別データの組合せを受信し、
前記商品の情報を前記端末に送信するステップにおいて、前記サーバが、受信した前記複数の前記カード識別データにそれぞれ関連付けられた価格条件データが示す価格を合算し、合算した前記価格に基づく価格条件に合致する商品ＩＤデータに係る商品の情報を前記端末に送信する請求項１に記載の方法。
【請求項３】
前記カードを発行するステップにおいて、前記サーバが、前記価格条件データが示す価格条件に対応するマークを更に前記カードに印刷し、
前記商品の情報を前記端末に送信するステップにおいて、前記サーバが、前記価格条件データが示す価格条件に基づいて前記商品ＩＤデータに対応する前記マークの数を決定し、前記マークを表すマークデータ及び決定した前記マークの数を示すマーク数データを前記端末に送信する請求項１又は請求項２に記載の方法。
【請求項４】
前記カード識別データを受信するステップにおいて、前記サーバが、前記カード識別データを入力したユーザが所定のユーザであることを示すデータを更に受信し、前記受注データを受信して前記記憶部に記憶するステップにおいて、前記サーバが、前記所定のユーザであることを示すデータを合わせて前記記憶部に記憶する請求項１から請求項３のいずれかに記載の方法。
【請求項５】
前記カードを発行するステップにおいて、前記サーバが、前記所定のユーザであることを示すデータを構成するためのデータをさらに印刷して前記カードを発行する請求項４に記載の方法。
【請求項６】
前記カードを発行するステップにおいて、前記サーバが、前記所定のユーザであることを示すデータを構成するためのデータとして、シリアル符号をさらに印刷して前記カードを発行し、
発行した前記カードは、印刷した前記シリアル符号が外部から視認可能であり、前記カード識別データが外部から視認不可能な状態で前記ユーザに配布するものである請求項４又は請求項５に記載の方法。
【請求項７】
前記サーバは、前記カード識別データに関連付けて前記カードの有効期限データを前記記憶部に記憶しており、前記カードの有効期限が経過したことに応じて、前記有効期限が経過したカードの価格条件データに応じた金額に係る債権を放棄したことを示すデータを前記記憶部に記憶するステップを含む請求項１から請求項６のいずれかに記載の方法。
【請求項８】
通信ネットワークに接続され、商品を受注するサーバであって、
前記サーバは、商品ＩＤデータと価格データとを少なくとも含んで構成する商品テーブルを記憶している記憶部を備え、
前記サーバが、発注可能な価格を示す価格条件データと発行人数データとを少なくとも含んで構成するカード発行要求データを受け付ける手段と、
前記カード発行要求データを受け付けたことに応じて、前記発行人数データが示す人数分のカード識別データを生成し、前記価格条件データと関連付けて、カード発行テーブルとして前記記憶部に記憶する手段と、
生成した前記カード識別データを印刷したカードを発行する手段と、
通信ネットワークに接続された端末から、前記カード識別データを受信する手段と、
前記カード発行テーブルを参照し、受信した前記カード識別データに関連付けられた価格条件データを特定する手段と、
前記商品テーブルを参照し、特定した前記価格条件データが示す価格条件に合致する商品ＩＤデータに係る商品の情報を前記端末に送信する手段と、
前記端末から、送信した前記商品ＩＤデータに係る商品のうち、特定の商品を指定する受注データを受信する手段と、を含むサーバ。
【発明の詳細な説明】
【技術分野】
【０００１】
本発明は、商品を受注する方法及びサーバに関する。
【背景技術】
【０００２】
従来、葬儀に係る香典返しの手法として、葬儀場等において通夜・告別式当日に商品を手渡す当日返しといわれる方法がある。これは、本来、葬儀の後、三十五日、四十九日法要の日に、香典のお礼として渡す商品を、通夜・告別式の当日渡すもので、葬家にかかる香典帳の整理や発送等の負担が軽減されるため、近年広く用いられるようになってきた。
【０００３】
ところで、通常、受注から１〜２日程度の短いリードタイムで、このような当日返しの商品を通夜・告別式の会場にタイムリーに提供するためには、商品確保や流通に関して困難を伴うことが多い。
【０００４】
具体的には、例えば、用意すべき商品数が多くなると、商品確保が難しくなり、また、商品倉庫から会場までが遠隔地にあると、流通が間に合わないこともある。そこで、予め所定の商品を通夜・告別式の会場に在庫として用意しておく、という方法も提案されているが、日持ちのしない商品を選択することができない、という課題もある。
【０００５】
そこで、商品カタログと発注書を会葬者に手渡し、手渡された当該会葬者が、後日当該商品カタログから商品を選択し、当該発注書で発注できるシステムが提案されている（特許文献１）。
【０００６】
特許文献１による方法によれば、商品自体を会場に送付したり、会場に商品の在庫を持ったりする必要がなくなる。また、商品カタログに掲載されている商品の中から会葬者が好きな商品を選択することができるため、葬家側で商品を選択する必要がなく、その負担を軽くすることができる。
【０００７】
【特許文献１】特開平１１−１２３１３７号公報
【発明の開示】
【発明が解決しようとする課題】
【０００８】
しかしながら、特許文献１による方法においても、商品カタログの編集・印刷・配送に係る費用と手間は依然として負担となっている。
【０００９】
そこで、会葬者が商品を発注するための費用と手間を削減する方法の提供が求められている。
【００１０】
従って本発明は、商品を選択して発注するための費用と手間を削減する方法を提供することを目的とする。
【課題を解決するための手段】
【００１１】
本発明者らは、研究を重ねた結果、コンピュータシステムを活用して商品を選択して発注することにより、係る費用と手間を削減する方法を見出し、本発明を完成するに至った。
【００１２】
（１）  通信ネットワークに接続されたサーバが、商品を受注する方法であって、
前記サーバは、商品ＩＤデータと価格データとを少なくとも含んで構成する商品テーブルを記憶している記憶部を備え、
前記サーバが、発注可能な価格を示す価格条件データと発行人数データとを少なくとも含んで構成するカード発行要求データを受け付けるステップと、
前記カード発行要求データを受け付けたことに応じて、前記発行人数データが示す人数分のカード識別データを生成し、前記価格条件データと関連付けて、カード発行テーブルとして前記記憶部に記憶するステップと、
生成した前記カード識別データを印刷したカードを発行するステップと、
通信ネットワークに接続された端末から、前記カード識別データを受信するステップと、
前記カード発行テーブルを参照し、受信した前記カード識別データに関連付けられた価格条件データを特定するステップと、
前記商品テーブルを参照し、特定した前記価格条件データが示す価格条件に合致する商品ＩＤデータに係る商品の情報を前記端末に送信するステップと、
前記端末から、送信した前記商品ＩＤデータに係る商品のうち、特定の商品を指定する受注データを受信して前記記憶部に記憶するステップと、を含む方法。
【００１３】
本発明の構成によれば、前記サーバは、商品ＩＤデータと価格データとを少なくとも含んで構成する商品テーブルを記憶している記憶部を備え、
前記サーバが、発注可能な価格を示す価格条件データと発行人数データとを少なくとも含んで構成するカード発行要求データを受け付け、
前記カード発行要求データを受け付けたことに応じて、前記発行人数データが示す人数分のカード識別データを生成し、前記価格条件データと関連付けて、カード発行テーブルとして前記記憶部に記憶し、
生成した前記カード識別データを印刷したカードを発行し、
通信ネットワークに接続された端末から、前記カード識別データを受信し、
前記カード発行テーブルを参照し、受信した前記カード識別データに関連付けられた価格条件データを特定し、
前記商品テーブルを参照し、特定した前記価格条件データが示す価格条件に合致する商品ＩＤデータに係る商品の情報を前記端末に送信し、
前記端末から、送信した前記商品ＩＤデータに係る商品のうち、特定の商品を指定する受注データを受信して前記記憶部に記憶することが可能となる、という作用効果を有する。
【００１４】
このことにより、前記サーバは、予め価格条件データと関連付けられたカード識別データを印刷してカードを発行し、その後、通信ネットワークに接続された端末から、前記カード識別データを受信したことに応じて、受信した前記カード識別データに関連付けられた価格条件に合致する商品の情報を前記端末に送信することができる。
【００１５】
その結果、前記カードを受け取ったユーザは、受け取った前記カードに印刷されたカード識別データを端末に入力して前記サーバに送信することにより、前記カードで発注することが可能な商品の情報を前記端末で閲覧し、発注する商品を選択することができる。
【００１６】
このように、本発明の原理によれば、通夜・告別式の会場には上述のカードのみを配送して当日会葬者に手渡すだけで、当該会葬者は、後日自宅等で商品の選択、発注を行うことができる。従って、実際の商品や、カタログを会場に配送して手渡すのに比較して、費用と手間を大幅に削減することができる。
【００１７】
なお、カード識別データは、シリアル番号、引換券番号、ＩＤ、パスワード等を採用してもよいし、バーコードやＱＲコード等を採用してもよい。また、あわせて、前記サーバへアクセスするためのＵＲＬを印刷しておいてもよい。或いは、カード毎に個別のＷｅｂページを用意し、そのＵＲＬをカード識別データとして印刷しておいてもよい。
【００１８】
また、カード識別データは、通夜・告別式の会場や喪主の識別データを含んで構成してもよい。
【００１９】
（２）  前記カード識別データを受信するステップにおいて、前記サーバが、複数の前記カード識別データの組合せを受信し、
前記商品の情報を前記端末に送信するステップにおいて、前記サーバが、受信した前記複数の前記カード識別データにそれぞれ関連付けられた価格条件データが示す価格を合算し、合算した前記価格に基づく価格条件に合致する商品ＩＤデータに係る商品の情報を前記端末に送信する（１）に記載の方法。
【００２０】
本発明の構成によれば、前記カード識別データを受信するステップにおいて、前記サーバが、複数の前記カード識別データの組合せを受信し、
前記商品の情報を前記端末に送信するステップにおいて、前記サーバが、受信した前記複数の前記カード識別データにそれぞれ関連付けられた価格条件データが示す価格を合算し、合算した前記価格に基づく価格条件に合致する商品ＩＤデータに係る商品の情報を前記端末に送信することが可能となる、という作用効果を有する。
【００２１】
このことにより、前記サーバは、複数の前記カード識別データの組合せを受信した場合には、それらのカードにそれぞれ関連付けられた価格条件データが示す価格を合算し、発注可能な商品に関する情報を前記端末に送信することができる。
【００２２】
その結果、夫婦等で通夜・告別式に参列し、複数の前記カードを取得した場合に、それらの前記カードの価格条件を合算して商品を発注することができる。
【００２３】
（３）  前記カードを発行するステップにおいて、前記サーバが、前記価格条件データが示す価格条件に対応するマークを更に前記カードに印刷し、
前記商品の情報を前記端末に送信するステップにおいて、前記サーバが、前記価格条件データが示す価格条件に基づいて前記商品ＩＤデータに対応する前記マークの数を決定し、前記マークを表すマークデータ及び決定した前記マークの数を示すマーク数データを前記端末に送信する（１）又は（２）に記載の方法。
【００２４】
本発明の構成によれば、前記カードを発行するステップにおいて、前記サーバが、前記価格条件データが示す価格条件に対応するマークを更に前記カードに印刷し、
前記商品の情報を前記端末に送信するステップにおいて、前記サーバが、前記価格条件データが示す価格条件に基づいて前記商品ＩＤデータに対応する前記マークの数を決定し、前記マークを表すマークデータ及び決定した前記マークの数を示すマーク数データを前記端末に送信することが可能となる、という作用効果を有する。
【００２５】
このことにより、前記サーバは、前記価格条件データが示す価格条件に対応するマークを前記カードに印刷し、その後、端末からカード識別データを受信したことに応じて、前記マークを表すマークデータ及び決定した前記マーク数データを前記端末に送信し、前記端末は前記マークを前記商品に関する情報と共に表示することができる。
【００２６】
その結果、ユーザは、商品に関する情報を、マークと共に閲覧することが可能となり、直感的で分かりやすいマークを参考としつつ、商品を選択することが可能となる。
【００２７】
（４）  前記カード識別データを受信するステップにおいて、前記サーバが、前記カード識別データを入力したユーザが所定のユーザであることを示すデータを更に受信し、前記受注データを受信して前記記憶部に記憶するステップにおいて、前記サーバが、前記所定のユーザであることを示すデータを合わせて前記記憶部に記憶する（１）から（３）のいずれかに記載の方法。
【００２８】
本発明のこのような構成によれば、前記カード識別データを受信するステップにおいて、前記サーバが、前記カード識別データを入力したユーザが所定のユーザであることを示すデータを更に受信し、前記受注データを受信して前記記憶部に記憶するステップにおいて、前記サーバが、前記所定のユーザであることを示すデータを合わせて前記記憶部に記憶するすることができる、という作用効果を有する。
【００２９】
このことにより、前記サーバは、前記カード識別データを入力したユーザが所定のユーザであることを示すデータを更に受信した場合には、前記所定のユーザによる受注データを前記記憶部に記憶する際に、前記所定のユーザであることを示すデータを合わせて前記記憶部に記憶することができる。
【００３０】
その結果、前記サーバは、前記所定のユーザによる発注データと、それ以外のユーザによる発注データと、を前記所定のユーザであることを示すデータの有無により区別して管理することができる。
【００３１】
従って、前記カードを取得したユーザ以外の第三者（例えば、電話や郵送により当該ユーザから依頼を受けた管理者）が、当該ユーザに代わって発注データを前記サーバに送信し、前記サーバに発注処理を行わせると共に、前記カードを取得したユーザ以外の第三者による発注であることを前記サーバに記憶させることができる。
【００３２】
なお、前記カードは、返信用はがきとして発行して最小限の商品情報を印刷したカタログと共に会葬者に配布して、上述の郵送による申込の用に供しても良い。
【００３３】
このようにして、通常は前記カードを取得したユーザによる発注を受け付ける前記サーバが、お年寄り等自ら前記通信ネットワークに接続された端末から発注操作が難しいユーザによる発注も電話や郵送等の手段を経由して受け付けることができる。
【００３４】
（５）  前記カードを発行するステップにおいて、前記サーバが、前記所定のユーザであることを示すデータを構成するためのデータを更に印刷して前記カードを発行する（４）に記載の方法。
【００３５】
本発明のこのような構成によれば、前記カードを発行するステップにおいて、前記サーバが、前記所定のユーザであることを示すデータを構成するためのデータを更に印刷して前記カードを発行することができる、という作用効果を有する。
【００３６】
このことにより、前記サーバは、前記カードに印刷されている前記所定のユーザであることを示すデータを構成するためのデータを受信して発注を受け付けることができる。
【００３７】
その結果、前記サーバは、第三者（例えば、電話や郵送により、前記カードを取得したユーザから依頼を受けた管理者）から発注を受け付ける際に、前記カードを取得したユーザしか知り得ない情報に基づいて発注する第三者からの発注のみを受け付けることができる。
【００３８】
このように、前記サーバは、前記カードを取得したユーザからの依頼に基づかない第三者による不正な発注を防ぐことができる。
【００３９】
（６）  前記カードを発行するステップにおいて、前記サーバが、前記所定のユーザであることを示すデータを構成するためのデータとして、シリアル符号（シリアル番号等）を更に印刷して前記カードを発行し、
発行した前記カードは、印刷した前記シリアル符号が外部から視認可能であり、前記カード識別データが外部から視認不可能な状態で前記ユーザに配布するものである（４）又は（５）に記載の方法。
【００４０】
本発明のこのような構成によれば、前記カードを発行するステップにおいて、前記サーバが、前記所定のユーザであることを示すデータを構成するためのデータとして、シリアル符号（シリアル番号等）を更に印刷して前記カードを発行し、
発行した前記カードは、印刷した前記シリアル符号が外部から視認可能であり、前記カード識別データが外部から視認不可能な状態で前記ユーザに配布することができる、という作用効果を有する。
【００４１】
このことにより、前記サーバは、前記カードが発行されてから前記ユーザに配布されるまでの間は、前記カード識別データは外部から視認不可能となるので、前記シリアル符号と前記識別データとにより第三者が不正に行う発注を抑止することができる。更に、前記シリアル符号は前記カードが発行されてから前記ユーザに配布されるまでの間も外部から視認可能であるので、例えば、カード発行者（カード発行会社、商品販売者等）が、葬儀会場に在庫としてまとまった枚数を予め配布しておき、定期的に（例えば月１回等）会葬者に配布済みの在庫を確認する際に前記シリアル符号（例えばシリアル番号等）を参照することができる。
【００４２】
なお、カード発行の際は、前記サーバが十分に長い有効期限を設定しておき、この在庫確認の際、管理者等の指示入力を受け付けることによって配布済みのカードの有効期限を短く設定しなおしてもよい。このように、会葬者への配布の事後に有効期限を短く設定しなおすことにより、葬儀会場において有効期限の設定を間違えて短く設定したり、配布の際に有効期限が所定より短いカードを間違えて配布したりすることによるトラブルを未然に防ぐことができる。
【００４３】
（７）  前記サーバは、前記カード識別データに関連付けて前記カードの有効期限データを前記記憶部に記憶しており、前記カードの有効期限が経過したことに応じて、前記有効期限が経過したカードの価格条件データに応じた金額に係る債権を放棄したことを示すデータを前記記憶部に記憶するステップを含む（１）から（６）のいずれかに記載の方法。
【００４４】
本発明のこのような構成によれば、前記サーバは、前記カード識別データに関連付けて前記カードの有効期限データを前記記憶部に記憶しており、前記カードの有効期限が経過したことに応じて、前記有効期限が経過したカードの価格条件データに応じた金額に係る債権を放棄したことを示すデータを前記記憶部に記憶することができる、という作用効果を有する。
【００４５】
このことにより、前記サーバは、前記カードの有効期限が経過したことに応じて、前記カードの価格条件データに応じた金額に係る債権を放棄したことを示すデータを前記記憶部に記憶することができる。
【００４６】
その結果、前記カードを受け取った会葬者が何もせずに有効期限が経過すると、前記サーバの運用者或いは商品の受注を行なう会社等は、当該カードの価格条件に応じた金額の資産を処分することが可能となる。例えば、植林事業に投資して地球環境の保護に役立てたり、各種社会貢献事業等に寄付したりすることができる。このように、有効期限の経過によって、配布したカードの価格条件分の商品が死蔵されることを防止することが可能になる。
【００４７】
（８）  通信ネットワークに接続され、商品を受注するサーバであって、
前記サーバは、商品ＩＤデータと価格データとを少なくとも含んで構成する商品テーブルを記憶している記憶部を備え、
前記サーバが、発注可能な価格を示す価格条件データと発行人数データとを少なくとも含んで構成するカード発行要求データを受け付ける手段と、
前記カード発行要求データを受け付けたことに応じて、前記発行人数データが示す人数分のカード識別データを生成し、前記価格条件データと関連付けて、カード発行テーブルとして前記記憶部に記憶する手段と、
生成した前記カード識別データを印刷したカードを発行する手段と、
通信ネットワークに接続された端末から、前記カード識別データを受信する手段と、
前記カード発行テーブルを参照し、受信した前記カード識別データに関連付けられた価格条件データを特定する手段と、
前記商品テーブルを参照し、特定した前記価格条件データが示す価格条件に合致する商品ＩＤデータに係る商品の情報を前記端末に送信する手段と、
前記端末から、送信した前記商品ＩＤデータに係る商品のうち、特定の商品を指定する受注データを受信する手段と、を含むサーバ。
【００４８】
本発明の構成を備えるサーバを運用することにより、（１）と同様の作用効果が期待できる。
【発明の効果】
【００４９】
本発明によれば、前記サーバは、予め価格条件データと関連付けられたカード識別データを印刷してカードを発行し、その後、通信ネットワークに接続された端末から、前記カード識別データを受信したことに応じて、受信した前記カード識別データに関連付けられた価格条件に合致する商品の情報を前記端末に送信することができる。その結果、前記カードを受け取ったユーザは、受け取った前記カードに印刷されたカード識別データを端末に入力して前記サーバに送信することにより、前記カードで発注することが可能な商品の情報を前記端末で閲覧し、発注する商品を選択することができる。
【発明を実施するための最良の形態】
【００５０】
以下、図面を参照して本発明の実施形態について説明する。
【００５１】
図１は、本発明に係るシステムの全体構成を示す図である。図２は、本発明に係るサーバの構成を示す図である。図３は、本発明に係るサーバによる商品選択受注処理を示すフローチャートである。図４は、本発明に係るカードによる商品発注の仕組みを示す図である。図５は、本発明に係る商品テーブルを示す図である。図６は、本発明に係るカード発行テーブルを示す図である。図７は、本発明に係る商品選択受注処理において端末に表示される画面の一例を示す図である。
［システム全体構成］
【００５２】
図１に示すように、本発明に係る好適な実施形態の一例に係るシステム１は、サーバ１１、端末１２ａ、１２ｂ、１２ｃ、・・・及び管理端末１４を含んで構成されている。
【００５３】
サーバ１１、端末１２ａ、１２ｂ、１２ｃ、・・・は通信ネットワーク１３を介して接続されている。また、管理端末１４はサーバ１１に接続されている。
【００５４】
図１の例において、サーバ１１は、Ｗｅｂサーバを含んで実現してもよい。また、図１の例においては１台のみで実現しているが、処理件数等のシステム負荷に応じて複数台で実現してもよい。
【００５５】
また、通信ネットワーク１３は、Ｅｔｈｅｒｎｅｔ（登録商標）等の構内通信網（ＬＡＮ）として実現してもよいし、専用線、インターネット、ＶＰＮ等の広域通信網（ＷＡＮ）として実現してもよい。
【００５６】
更に、端末１２ａ、１２ｂ、１２ｃ、・・・は、通信ネットワーク１３を介して互いに異なる通信速度で端末１２に接続されていてもよい。
［サーバ等の構成］
【００５７】
図２に示すように、サーバ１１は、制御部１１１、記憶部１１２、通信Ｉ／Ｆ部１１３、入力部１１４、表示部１１５及び印刷部１１６が、バス１１７を介して接続されて構成されている。
【００５８】
制御部１１１は、情報の演算、処理を行う情報演算処理装置であり、ＣＰＵ（Ｃｅｎｔｒａｌ  Ｐｒｏｃｅｓｓｉｎｇ  Ｕｎｉｔ）であってよい。また、制御部１１１はサーバ１１全体の制御を行い、記憶部１１２に記憶された各種プログラムを適宜読み出して実行することにより、上述のハードウェアが協働し、本発明に係る各種機能を実現している。
【００５９】
ここで、表示部１１５は、ユーザにデータの入力を受け付ける画面を表示したり、サーバ１１による演算処理結果の画面を表示したりするものであり、ブラウン管表示装置（ＣＲＴ）、液晶表示装置（ＬＣＤ）等のディスプレイ装置を含む。
【００６０】
ここで、入力部１１４は、ユーザによる入力の受付を行うものであり、キーボード、ポインティングデバイス等を含んでよい。入力部１１４は、直接又は介在Ｉ／Ｏコントローラを介してサーバ１１と接続することができる。
【００６１】
ここで、通信Ｉ／Ｆ部１１３は、サーバ１１を専用ネットワーク又は公共ネットワークを介して端末と接続できるようにするためのネットワーク・アダプタである。通信Ｉ／Ｆ部１１３は、モデム、ケーブル・モデム及びＥｔｈｅｒｎｅｔ（登録商標）・アダプタを含んでよい。
【００６２】
ここで、記憶部１１２は、制御部１１１と組み合わせてプログラムの実行に使用するローカルメモリ、大容量のバルクメモリ、及び当該バルクメモリの検索を効率的に行うために使用するキャッシュメモリを含んでよい。記憶部１１２を実現するコンピュータ可読媒体としては、電気的、磁気的、光学的、電磁的に実現するものを含んでよい。より具体的には、半導体記憶装置、磁気テープ、フレキシブルディスク、ランダム・アクセス・メモリ（ＲＡＭ）、リードオンリー・メモリ（ＲＯＭ）、ＣＤ−ＲＯＭとＣＤ−Ｒ／ＷとＤＶＤとを含む光ディスクが含まれる。
【００６３】
ここで、印刷部１１６は、後述するように、カードに上述のカード識別データの印刷を行う。
【００６４】
印刷部１１６は、ＵＳＢ、パラレルインターフェイス等で接続可能な周辺機器としてのプリンタにより実現してもよいし、カード発行サーバとして予め専用に設計されたコンピュータ装置として実現してもよい。
【００６５】
また、本発明の原理を応用し、磁気テープやＩＣタグ等にカード識別データを書き込んでそれぞれ磁気カードやＩＣカードを発行するカード発行装置として実現することも可能である。
【００６６】
なお、端末１２ａ、１２ｂ、１２ｃ、・・・及び管理端末１４についても、サーバ１１と同様の構成を有してよい。ただし、上述の印刷部１１６については、必ずしも備えている必要はない。
［商品選択受注処理］
【００６７】
図３に示すように、サーバ１１は、商品選択受注処理を実行する。
【００６８】
まずサーバ１１の制御部１１１は、価格条件データと発行人数データとを含むカード発行要求データを受け付ける（ステップＳ１０１）。具体的には、例えば、入力部１１４を介して、制御部１１１は、「７，０００円」の価格条件で、「１００名」の発行人数、等の情報を含むカード発行要求データを受け付ける。
【００６９】
なお、当該カード発行要求データは、管理端末１４から通信Ｉ／Ｆ部１１３を介して受信してもよい。
【００７０】
次に、制御部１１１は、当該カード発行要求データの内容に応じて、カード識別データを生成し、価格条件データと関連付けてカード発行テーブルとして記憶部１１２に記憶する（ステップＳ１０２）。
【００７１】
なお、カード発行テーブルの一例を図６に示す。
【００７２】
カード発行テーブルには、カード識別データとしての「シリアル番号」及び「引換券番号」が発行人数分生成されて「価格条件」に関連付けて記憶されている。また、後述するように、「マーク」、「発行日」及び「有効期限日」等の情報もあわせて設定して記憶してもよい。
【００７３】
また、カード識別データは、「シリアル番号」のみ、或いは「引換券番号」のみで特定してもよい。或いは、「引換券番号」として、覚えやすい意味のある単語を互いに重複しないように生成して記憶してもよい。このようにすることで、お年寄り等にとっても、カード識別番号の入力の負担を軽減することができる。
【００７４】
次に、制御部１１１は、カード識別データをカードに印刷する（ステップＳ１０３）。具体的には、例えば、印刷部１１６により、上述のカード識別データとしての「シリアル番号」及び「引換券番号」をカードに印刷する。なお、上述の「マーク」をあわせてカードに印刷してもよい。
【００７５】
また、本発明の原理を応用し、磁気テープやＩＣタグ等にカード識別データを書き込んでそれぞれ磁気カードやＩＣカードを発行するカード発行装置を用いて、上述のカード識別情報を書き込んでカードを発行してもよい。
【００７６】
このように、発行したカードを実際に通夜・告別式が行われる会場に配送し、会葬者に配布することができる。
【００７７】
ここで、「シリアル番号」と「引換券番号」を返信用のはがきの裏面等に印刷して発行し、一部の商品について印刷された商品カタログと共に子窓付きの封筒や小箱に収納して封をし、当該小窓から「シリアル番号」のみが見えるようにしてもよい。
【００７８】
このようにすることにより、例えば予めまとまった数のカード（返信用はがき）を発行して葬儀会場に在庫として配布しておき、月１回等定期的に「シリアル番号」を確認することにより在庫の使用状況を特定することができる。また、引換券番号自体は上述の封筒や小箱を開封しない限り確認できなくなるため、カード（はがき）の流通の過程において第三者に不正に使用されるリスクを抑制することができる。
【００７９】
ここで、カード発行時の有効期限は１０年等、通常想定される当該カードの使用において十分長い期間を設定しておき、上述の在庫確認作業において、会葬者に配布されたものと特定されたカードについては、有効期限をその時から１年後等に短縮してもよい。このように、会葬者への配布の事後に有効期限を短く設定しなおすことにより、葬儀会場において有効期限の設定を間違えて短く設定したり、配布の際に有効期限が所定より短いカードを間違えて配布したりすることによるトラブルを未然に防ぐことができる。また、所定の期間商品発注のなかったカードで引き換え可能な商品価格分の債権の放棄を自動的に行う等の処理を実行することができる。また、会葬者の意思で、寄付を行いたい場合、ただ何もせず有効期限が経過するのを待っているだけで、自動的に債権を放棄し、これを受けて商品の受注を行う会社等は、当該放棄された債権に係る金額相当の資産を処分することが可能となる。例えば、植林事業に投資して地球環境の保護に役立てたり、各種社会貢献事業等に寄付したりすることができる。
【００８０】
更に、当該カードはそのまま返信用はがきとなるため、お年寄り等、ネットワークを使用した商品の発注が苦手なユーザも、当該商品カタログを参照して当該返信用はがきにその商品番号等を記入して返信することにより商品を発注することができる。
【００８１】
次に、制御部１１１は、端末１２ａ、１２ｂ、１２ｃ、・・・からカード識別データの受信を待機する（ステップＳ１０４）。
【００８２】
ここで、制御部１１１は、上述のカード発行テーブルに記憶された「カード発行日」及び「有効期限日」を参照し、受信したカード識別番号を付与されたカードが有効なものか否か、判断してもよい。このようにすることで、カード発行者は、発行前のカードや、有効期限を経過したカードが使用されることを防止することができる。
【００８３】
次に、ステップＳ１０４で、カード識別番号を受信した場合、制御部１１１は、カード発行テーブルを参照し、受信したカード識別データに関連付けられた価格条件データを特定する（ステップＳ１０５）。具体的には、例えば、図６に示すように、カード識別データとして、「引換券番号：０４７８０１７」を受信した場合、「価格条件」は、「７，０００円」と特定できる。
【００８４】
なお、制御部１１１は、端末１２ａ、１２ｂ、１２ｃ、・・・から、同時に複数のカード識別データを受信してもよい。この場合、制御部１１１は、複数のカード識別データに応じて特定した「価格条件」の価格を合算し、新たな価格条件として認識してもよい。このようにすることで、会葬者として夫婦で通夜・告別式に出席し、カードを配布された２名の会葬者が、後述する商品選択のための表示画面において、カード２枚分の価格の商品を選択可能とすることができる。
【００８５】
次に、制御部１１１は、商品テーブルを参照し、価格条件に合致する商品情報を上述のカード識別データを送信してきた端末１２ａ、１２ｂ又は１２ｃ、・・・に送信する（ステップＳ１０６）。
【００８６】
具体的には、例えば、制御部１１１は、図５に示すような商品テーブルを参照し、「７，０００円」の価格条件に合致する「商品ＩＤ：０００２」の「商品名：○×△セット」を端末１２ａ、１２ｂ又は１２ｃ、・・・に送信する。
【００８７】
ここで、価格条件以下の商品を全て価格条件に合致するもの、として同様に送信してもよい。図５の例においては、「７，０００円」の価格条件に対して、「３，８００円」の「商品ＩＤ：０００１」の「商品名：○○○セット」も同様に送信してもよい。或いは、商品の代わりに、価格条件相当分の債権を放棄する意思表示を行うためのデータを送信してもよい。
【００８８】
なお、制御部１１１は、価格条件に対応する「マーク」を記憶部１１２に記憶しておき、端末１２ａ、１２ｂ又は１２ｃ、・・・に送信してもよい。このようにすることで、端末１２ａ、１２ｂ又は１２ｃ、・・・は、商品情報と共に「マーク」を表示することができる。
【００８９】
マークの具体的な例として、図６に示すような「やすらぎ」、「ぬくもり」等が想定される。このようなマークを価格の代わりに端末１２ａ、１２ｂ又は１２ｃ、・・・が表示することにより、会葬者は価格の絶対値を意識せずに商品情報を閲覧することができる。
【００９０】
ここで、商品情報の送信を受けた端末１２ａ、１２ｂ又は１２ｃ、・・・が表示する表示画面の一例を図７に示す。
【００９１】
図７の例では、様々な価格の商品が表示されている。また、あわせて、「やすらぎ」、「ぬくもり」といった「マーク」として、花のアイコンが表示されている。
【００９２】
会葬者は、この画面を閲覧して、自分の好みの商品を選択することになる。ここで、図７には、一つの商品について、複数のマークが表示されているが、価格条件との関係により、「やすらぎ」マークの価格条件を持ったカードであれば２枚必要、「ぬくもり」マークの価格条件を持ったカードであれば１枚必要、といったように、複数のカードを合算して価格の高い商品を選択可能であることを表してもよい。或いは、商品の代わりに、価格条件相当分の債権を放棄する意思表示を行うための情報を表示してもよい。
【００９３】
次に、制御部１１１は、端末１２ａ、１２ｂ又は１２ｃ、・・・から特定の商品を指定する発注データを受信して記憶部１１２に記憶する（ステップＳ１０７）。このことで、制御部１１１は、その後、商品の受注処理を行うことができる。或いは、商品の代わりに、価格条件相当分の債権を放棄する意思表示を行う選択を示すデータを受信して前記記憶部１１２に記憶してもよい（この場合、図６に示すカード発行テーブルの「権利放棄（寄付可）」欄に○が記憶される）。
【００９４】
図４に、上述の一連のカードによる商品発注の仕組みを示す。サーバ１１は、カード識別データ（「シリアル番号」及び「引換券番号」）を印刷したカード２０を発行することにより、その後、会葬者からの商品選択、発注要求を受け付けることができる。
【００９５】
ここで、当該カードは返信用はがきとして使用可能なものを発行し、商品情報を印刷したカタログと共に、シリアル番号のみが外部から視認可能になるように封筒や箱に封入された状態で葬儀会場に運ばれる。その後、葬儀会場において、会葬者にそのカードが配られることになる。
【００９６】
その後、会葬者による「引換券番号」の入力により、サーバから商品情報を閲覧して自ら発注を掛けてもよい。また、会葬者により上述の返信用はがきに発注商品の商品番号等が記入されて返信されてきた場合、カード発行側或いは商品販売側の従業員が当該会葬者に代わって上述のシステムをそのまま活用して商品発注を行うことができる。
【００９７】
具体的には、例えば、従業員専用の入力画面を予め用意しておき、制御部１１１は、当該入力画面において、当該はがきに印刷されている「シリアル番号」及び「引換券番号」の双方の入力を受け付ける。双方の入力を受け付け、且つ、その組合せが上述のカード発行テーブルの情報と一致した場合にのみ、上述の一連の処理と同様に商品発注を受け付けて、その「シリアル番号」を記憶部１１２に記憶しておくことにより、従業員による商品発注であることを自動的に記憶することができる。
【００９８】
更に確実性を向上するため、「シリアル番号」とあわせて従業員のみが管理する管理パスワードの入力も必須としてもよい。このようにすることにより、「シリアル番号」のみを使用する場合に比べて、一般の会葬者が上述の従業員専用の入力画面を偶然発見して商品発注を行うリスクを抑制すると共に、管理パスワードのみを使用する場合に比べて、従業員が間違えて、或いは不正に、商品発注を行うリスクを抑制することができる。
【００９９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１００】
【図１】本発明に係るシステムの全体構成を示す図である。
【図２】本発明に係るサーバ等の構成を示す図である。
【図３】本発明に係るサーバによる商品選択受注処理を示すフローチャートである。
【図４】本発明に係るカードによる商品発注の仕組みを示す図である。
【図５】本発明に係る商品テーブルを示す図である。
【図６】本発明に係るカード発行テーブルを示す図である。
【図７】本発明に係る表示画面の一例を示す図である。
【符号の説明】
【０１０１】
１  システム
１１  サーバ
１２ａ、１２ｂ、１２ｃ  端末
１３  通信ネットワーク
１４  管理端末
１１１  制御部
１１２  記憶部
１１３  通信Ｉ／Ｆ部
１１４  入力部
１１５  表示部
１１６  印刷部
１１７  バス
【図１】
2008077534.tif 000003
【図２】
2008077534.tif 000004
【図３】
2008077534.tif 000005
【図４】
2008077534.tif 000006
【図５】
2008077534.tif 000007
【図６】
2008077534.tif 000008
【図７】
2008077534.tif 000009